(57)【要約】【課題】  表示記録媒体が繰り返し使われることによる受電部の汚れや磨耗等に起因する接触不良を防ぐことが可能な表示記録媒体を提供する。【解決手段】  表示記録媒体１は、透明電極１２Ａ，１２Ｂに画像書込装置から所定の電圧が印加されることにより画像の書込みが行えるとともに、書替えが可能な本体部１０と、この本体部１０の所定の位置に形成された受電部１８Ａ，１８Ｂに貼着された電極部としてのシート電極２０Ａ，２０Ｂを備える。シート電極２０Ａ，２０Ｂは、着脱自在であり、かつ何度も交換が可能であるため、画像書込装置側と表示記録媒体１側との電気的な接触不良を低減することができる。【選択図】    図２
2006146001.tif 000002
【特許請求の範囲】
【請求項１】
画像書込装置の給電部から所定の電圧が印加されて書き込まれた画像を無電源で可視表示する媒体本体と、
前記媒体本体に固定して設けられ、前記所定の電圧が印加される固定電極と、
前記固定電極に着脱可能に設けられ、前記画像書込装置の前記給電部に接触する交換電極とを備えたことを特徴とする表示記録媒体。
【請求項２】
前記交換電極は、粘着力あるいは接着力によって前記固定電極に着脱可能に接合されることを特徴とする請求項１に記載の表示記録媒体。
【請求項３】
前記交換電極は、螺子，ファスナー等の締結手段によって前記固定電極に着脱可能に接合されることを特徴とする請求項１に記載の表示記録媒体。
【請求項４】
前記固定電極および前記交換電極は、少なくとも一方が弾性変形可能な形状を有することを特徴とする請求項１に記載の表示記録媒体。
【請求項５】
前記固定電極および前記交換電極は、互いに嵌合される凹部および凸部による嵌合構造を有することを特徴とする請求項１又は４に記載の表示記録媒体。
【請求項６】
前記媒体本体は、前記所定の電圧が印加される一対の前記固定電極と、前記一対の固定電極間に配置され、光照射によって抵抗値が変化する光導電層、および前記光導電層の前記抵抗値の変化に基づく分圧に応じて反射率あるいは透過率が変化する液晶層とを備えたことを特徴とする請求項１に記載の表示記録媒体。
【発明の詳細な説明】
【技術分野】
【０００１】
本発明は、画像書込装置の給電部から所定の電圧が給電されることにより書き込まれた画像を無電源で可視表示する表示記録媒体に関し、特に、表示記録媒体が繰り返し使われることによる受電部の汚れや磨耗等に起因する接触不良を防ぐことが可能な表示記録媒体に関する。
【背景技術】
【０００２】
近年、表示記録媒体として、紙媒体や電子ディスプレイデバイスの他に、電子ディスプレイの長所と紙の長所を併せ持ったデジタルペーパと称せられる表示記録媒体が注目されている。
【０００３】
この表示記録媒体は、表示に関してメモリ性を有することから、情報の書換え時のみ駆動装置あるいは外部の情報書込装置により、書込みのエネルギを与えるだけで良く、表示を維持するエネルギ付与は不要である。従って、情報の書込み後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型の表示記録媒体、およびこの表示記録媒体に画像を書込む画像書込装置が知られている(例えば、特許文献１参照)。
【０００５】
この特許文献１に記載された表示記録媒体は、一対の透明電極間に、液晶層と、光の照射によって抵抗値が変化する光導電層とが積層されたものである。また、その表示記録媒体に画像を書込む画像記録装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に受電部を介して電圧を印加して、光導電層の抵抗分布に基づく分圧分布を液晶層に印加し、分圧分布に応じた画像を液晶層に記録するものである。
【０００６】
この光書込み型の表示記録媒体の画像書込装置によれば、一対の電極全体に電圧を印加しながら画像情報を面状に露光することで印字が可能なため、ライン露光や走査露光などに比べ、大容量の画像情報を高速に書込むことが可能となる。
【特許文献１】特開２００１−３０１２３３号公報（［００３１］〜［００４３］、図１、図２）
【発明の開示】
【発明が解決しようとする課題】
【０００７】
しかし、従来の表示記録媒体によると、画像書込装置側の電極から電圧供給を受けるための受電部を備えており、画像書込装置にセットして書込みを行う毎に、受電部と画像書込装置の給電部とを接触させるようになっている。このため、繰り返し使われることによって、受電部に汚れや磨耗を生じ易く、画像書込装置の給電部とのコンタクトが十分に取れなくなることがある。この結果、書換えに必要な電力を表示記録媒体の電極に印加できずにコントラストの低下を招いたり、記録／表示を行えない印字不良が発生する。
【０００８】
従って、本発明の目的は、表示記録媒体が繰り返し使われることによる受電部の汚れや磨耗等に起因する接触不良を防ぐことが可能な表示記録媒体を提供することにある。
【課題を解決するための手段】
【０００９】
本発明は、上記の目的を達成するため、画像書込装置の給電部から所定の電圧が印加されて書き込まれた画像を無電源で可視表示する媒体本体と、前記媒体本体に固定して設けられ、前記所定の電圧が印加される固定電極と、前記固定電極に着脱可能に設けられ、前記画像書込装置の前記給電部に接触する交換電極とを備えたことを特徴とする表示記録媒体を提供する。
【００１０】
交換電極が汚れたり磨耗してきたとき、その交換電極を新たなものに交換することにより、給電部との接触不良を防ぐことができる。
【００１１】
交換電極は、粘着力あるいは接着力によって固定電極に着脱可能に接合される構成でもよい。交換電極を剥がすことにより簡単に交換することができる。
【００１２】
交換電極は、螺子，ファスナー等の締結手段によって固定電極に着脱可能に接合される構成でもよい。締結手段によって交換電極を固定電極に確実に固定することができ、交換電極を簡単に交換することができる。
【００１３】
固定電極および交換電極は、少なくとも一方が弾性変形可能な形状を有する構成としてもよい。弾性力によって交換電極が固定電極に押圧されるので、必要な接触圧を確保することができる。
【００１４】
固定電極および交換電極は、互いに嵌合される凹部および凸部による嵌合構造を有するものでもよい。凹部と凸部により位置決めが容易に行うことができる。
【００１５】
媒体本体は、所定の電圧が印加される一対の固定電極と、一対の固定電極間に配置され、光照射によって抵抗値が変化する光導電層、および光導電層の抵抗値の変化に基づく分圧に応じて反射率あるいは透過率が変化する液晶層とを備え構成としてもよい。
【発明の効果】
【００１６】
本発明の表示記録媒体によれば、表示記録媒体が繰り返し使われることによる受電部の汚れや磨耗等に起因する接触不良を防ぐことが可能となり、高価な媒体本体の使用可能回数を延ばすことができる。
【発明を実施するための最良の形態】
【００１７】
[第１の実施の形態]
図１は、本発明の第１の実施の形態に係る表示記録媒体を示す。この表示記録媒体１は、シート状および薄型矩形状を成し、光画像を記憶すると共に書換えが可能な本体部１０と、この本体部１０内の一対の電極に電気的に接続し、かつ、交換可能に貼着された交換電極としてのシート電極２０Ａ，２０Ｂとを備える。
【００１８】
本体部１０は、表面１ａに長手方向の片側の側端に沿って設けた挿入方向識別帯２ａ、および裏面１ｂの短手方向の片側の側端に沿って設けた挿入方向識別帯２ｂを有するほか、裏面１ｂに画像の書込み面および表示面となる画像表示記録領域３を有する。そして、図１に示す挿入方向Ｂが、画像書込装置への挿入方向になる。
【００１９】
挿入方向識別帯２は、光反射率の低い色（例えば黒色）によって形成されている。なお、挿入方向識別帯２以外の表示記録媒体１の表面１ａ及び裏面１ｂは、光反射率の高い色（例えば白色）にしている。
【００２０】
シート電極２０Ａ，２０Ｂは、例えば、円形を有する銅、銅合金等の金属や導電性ゴム等の導電性材料からなり、貼着面となる下面の外周部に接着剤が塗布され、中央部は塗布されておらず、その接着剤の非塗布面が本体部１０内の受電部に接触するように貼着され、剥がすことにより交換が可能なものである。
【００２１】
（表示記録媒体の詳細構成）
図２は、図１の表示記録媒体１のＡ−Ａ線の断面を示す。この表示記録媒体１は、対向配置されたＰＥＴ（ポリエチレンテレフタレート）フィルムからなる一対の基板１１Ａ，１１Ｂと、一対の基板１１Ａ，１１Ｂの内側に設けられたＩＴＯ（インジウム錫酸化物）からなる一対の透明電極１２Ａ，１２Ｂと、裏面１ｂ側の透明電極１２Ｂの内側に設けられ、印加電圧に応じて反射率（透過率）が変化するコレステリック液晶からなる液晶層１３と、液晶層１３の内側に設けられた隔離層１４と、隔離層１４の内側に設けられ、書込パターン光３０の照射によって抵抗値が小さくなるように形成された光導電層１５と、光導電層１５の上側に設けられた光吸収層１６と、裏面１ｂ側の透明電極１２Ｂから表面１ａ側に延在する延在部１７と、透明電極１２Ａ，１２Ｂに接続するように形成された一対の固定電極としての受電部１８Ａ，１８Ｂと、一対の受電部１８Ａ，１８Ｂの表面に貼着された一対のシート電極２０Ａ，２０Ｂと、基板１１Ａ，１１Ｂ間の両側を埋めるように充填された樹脂充填部１９とを備える。なお、受電部１８Ｂは、図示しないが、受電部１８Ａの紙面の奥側にあり、透明電極１２Ａの端部に接続した構成を有している。
【００２２】
光導電層１５は、２つの電荷発生層と、これらの間に設けられた電荷輸送層とを備えて構成されている。電荷輸送層の両側に電荷発生層を積層した構成とすることにより、液晶層１３への交流電圧の印加が可能となり、液晶層１３の劣化を抑えることができ、駆動電圧の低電圧化、表示記録媒体１の高寿命化を実現することができる。
【００２３】
(画像書込装置)
図３は、表示記録媒体に画像を書き込む画像書込装置の全体構成を示す。また、図４は図３の各部における断面を示し、同図中、（ａ）は図３のＣ−Ｃ線の断面、（ｂ）は図３のＤ−Ｄ線の断面、（ｃ）は図３のＥ−Ｅ線の断面である。
【００２４】
この画像書込装置１００は、図１および図２に示した表示記録媒体１に画像書込みを行う装置であり、下部筐体１１０と、この下部筐体１１０の上部に設置した上部筐体１３０とを備える。
【００２５】
下部筐体１１０は、搬送ローラ１１１Ａ〜１１１Ｄを備える媒体搬送部１１２と、ＬＣＤ（Liquid Crystal Display：液晶ディスプレィ）パネル１１３及びバックライト１１４を備える書込部１１５と、表示記録媒体１の受電部１８Ａ，１８Ｂにシート電極２０Ａ，２０Ｂを介して当接する一対の給電端子１１７Ａ，１１７Ｂと、一対の給電端子１１７Ａ，１１７Ｂが取り付けられた端子取付部１１６と、ストッパ１１８Ａ，１１８Ｂと、表示記録媒体１の位置を検出する媒体停止センサ１１９および排出終了センサ１２０と、一対の給電端子１１７Ａ，１１７Ｂの逃げ用の開口１２１Ａ，１２１Ｂと、表示記録媒体１を案内するガイド１２２Ａ，１２２Ｂとを備えて構成されている。
【００２６】
また、上部筐体１３０は、表示記録媒体１の誤挿入を検出する誤差しセンサ１３１Ａ，１３１Ｂと、電磁ソレノイド１３２Ａ，１３２Ｂ及び押圧板１３３を備える媒体押付け部１３４と、押圧板１３３が挿通する開口１３５とを備えて構成されている。上部筐体１３０と下部筐体１１０の間には、表示記録媒体１を挿入するための挿入口１５１、及び挿入された表示記録媒体１が介在する空間１５２が形成されている。
【００２７】
媒体搬送部１１２は、挿入口１５１から挿入された表示記録媒体１を搬送ローラ１１１Ａ〜１１１Ｄの回転により、画像書込位置である空間１５２へ搬入するほか、書込みの終了した表示記録媒体１を外部へ搬出するものである。
【００２８】
書込部１１５は、バックライト１１４により背面から照明されるＬＣＤパネル１１３に対し、画像データに基づいた書込パターン光を出射させ、この書込パターン光を画像書込位置に搬入された表示記録媒体１に照射して画像の書込みを行うものである。
【００２９】
端子取付部１１６には、給電端子１１７Ａ，１１７Ｂが取り付けられており、媒体押付け部１３４が動作することにより、給電端子１１７Ａ，１１７Ｂの下面が表示記録媒体１のシート電極２０Ａ，２０Ｂの表面に接触し、シート電極２０Ａ，２０Ｂに所定の電圧を印加する。
【００３０】
ストッパ１１８Ａ，１１８Ｂは、垂直位置と水平位置の間を回転し、起立したとき、空間１５２に搬入された表示記録媒体１を定位置に停止させる。また、水平位置になると、表示記録媒体１の空間１５２からの排出を可能にする。
【００３１】
媒体停止センサ１１９は、空間１５２に搬入された表示記録媒体１が定位置に到達したか否かを検出する。
【００３２】
排出終了センサ１２０は、書込みの終了した表示記録媒体１が装置外へ搬出され、表示記録媒体１の後端の通過を検出することにより、表示記録媒体１が排出口１５３から排出したことを検出する。
【００３３】
誤差しセンサ１３１Ａ，１３１Ｂ、媒体停止センサ１１９、および排出終了センサ１２０は、それぞれ表示記録媒体１に光を照射する発光素子と、表示記録媒体１で反射した光を受光する受光素子とを備えて構成されている。
【００３４】
また、下部筐体１１０は、上面に給電端子１１７Ａ，１１７Ｂを逃げるための逃げ穴１２３を有している。これにより、表示記録媒体１が画像書込位置に存在しないとき、誤動作により押圧板１３３が下降しても給電端子１１７Ａ，１１７Ｂが変形や破損するのを防ぐことができる。
【００３５】
誤差しセンサ１３１Ａ，１３１Ｂは、挿入方向識別帯２ａ，２ｂを検出するために挿入口１５１の中心の両側に設けられており、表示記録媒体１の光反射率を検出し、表示記録媒体１の挿入方向が正しいか否か検出する。なお、誤差しセンサ１３１Ａ，１３１Ｂは、表示記録媒体１の給紙を検出する機能も兼ねている。
【００３６】
媒体押付け部１３４は、画像書込位置に搬入された表示記録媒体１を下部筐体１１０の上面に押圧するために用いられ、図４の（ｂ），（ｃ）に示すように、上部筐体１３０の中央に形成した開口１３５から出没する押圧板１３３と、押圧板１３３を下方に移動させる電磁ソレノイド１３２Ａ，１３２Ｂとを備える。
【００３７】
電磁ソレノイド１３２Ａ，１３２Ｂは、媒体押付け部１３４の押圧板１３３を押下する駆動源として機能し、押圧板１３３は、表示記録媒体１を下方に押圧して表示記録媒体１をＬＣＤパネル１１３の光出射面１２４に密着させる。
【００３８】
（書込み動作）
次に、画像書込装置１００による表示記録媒体１への書込み動作を説明する。図４の（ａ）のように、ユーザーが手で表示記録媒体１を挿入口１５１に挿入すると、誤差しセンサ１３１Ａ，１３１Ｂの発光素子で発光した光が表示記録媒体１の表面１ａで反射し、その反射光を受光素子が受光して光反射率に応じた電圧の検出信号を出力する。この検出信号に基づいて、図示しない制御部が表示記録媒体１の向きが正しいか否かを判別する。
【００３９】
表示記録媒体１が、正しい向きで挿入された場合、誤差しセンサ１３１Ａ，１３１Ｂが高い光反射率、すなわち白を検出しているので、図示しない制御部は表示記録媒体１のセットを正しいと判別する。すると、媒体搬送部１１２の搬送モータが駆動され、搬送ローラ１１１Ａ〜１１１Ｄが回転し、表示記録媒体１はガイド１２２Ａ，１２２Ｂにガイドされながら書込位置方向へ搬送される。表示記録媒体１がセット位置から搬送され、先端がストッパ１１８Ａ，１１８Ｂに当接すると、画像書込位置に到達する。更に、媒体停止センサ１１９が表示記録媒体１を検出すると、搬送ローラ１１１Ａ〜１１１Ｄの回転駆動が停止され、表示記録媒体１は移動を停止する。
【００４０】
ついで、媒体押付け部１３４の電磁ソレノイド１３２Ａ，１３２Ｂが駆動され、押圧板１３３を押し下げ、表示記録媒体１の裏面１ｂをＬＣＤパネル１１３の光出射面１２４に密着させる。押圧板１３３によって表示記録媒体１が押圧されるとき、一対の給電端子１１７Ａ，１１７Ｂが表示記録媒体１のシート電極２０Ａ，２０Ｂに接触する。
【００４１】
給電端子１１７Ａ，１１７Ｂは、図４の（ｃ）に示すように、先端部は弾性力を生じるようにＪ字形に曲げ加工が施されている。したがって、端子取付部１１６が媒体押付け部１３４によって上方から押圧されると、給電端子１１７Ａ，１１７Ｂの先端面が、表示記録媒体１のシート電極２０Ａ，２０Ｂに弾性変形しながら接触する。給電端子１１７Ａ，１１７Ｂとシート電極２０Ａ，２０Ｂとが接触することにより、表示記録媒体１の一対の透明電極１２Ａ，１２Ｂ間に電圧が印加され、書込みが行える状態になる。
【００４２】
このとき、表示記録媒体１がＬＣＤパネル１１３に密着し、透明電極１２Ａ，１２Ｂ間に電圧が印加されている状態で書込部１１５が動作すると、表示記録媒体１への画像書込みが行われる。
【００４３】
すなわち、不図示の制御部によってバックライト１１４を点灯し、そのバックライト光がＬＣＤパネル１１３に照射され、図示しないパルス電源部から給電端子１１７Ａ，１１７Ｂを介して表示記録媒体１のシート電極２０Ａ，２０Ｂ間にパルス電圧が印加され、同時に、画像データに基づく駆動信号がＬＣＤパネル１１３に出力される。ＬＣＤパネル１１３は、制御部からの駆動信号に基づいて書込パターン光３０を表示記録媒体１の裏面１ｂから照射する。
【００４４】
書込パターン光３０は、基板１１Ｂ、透明電極１２Ｂ、液晶層１３、隔離層１４を通過し、光導電層１５を照射する。光導電層１５は、光が照射された部分の抵抗値が小さくなり、それにより、光導電層１５とのインピーダンス比で決まる液晶層１３の分圧が増加し、液晶層１３における光反射率が大きくなる。従って、表示記録媒体１の画像表示記録領域３を裏面１ｂから見た場合、光が照射された領域は液晶層１３で反射して白く見え、光が照射されていない領域は液晶層１３を通過して光吸収層１６で吸収されるために黒く見える。これにより、可視像として見ることが可能な画像が記録される。書込まれた画像は、画像書込装置１００から排出された後、図２に示す矢印方向Ｅから見ることができる。この画像は、シート電極２０Ａ，２０Ｂへの電圧印加が消失した後でも、長時間保持される。
【００４５】
なお、表示記録媒体１に書込むべき画像データは、半導体メモリ、ハードディスク等の記憶媒体から得られるほか、外部装置から通信インターフェース等を介して取り込むことにより得ることができる。
【００４６】
表示記録媒体１への画像の書込みが終了すると、媒体押付け部１３４が駆動され、押圧板１３３は初期位置に退避する。同時に、ストッパ１１８Ａ，１１８Ｂが水平位置に倒れる様に駆動され、搬送ローラ１１１Ａ〜１１１Ｄが回転駆動し、表示記録媒体１は排出口１５３から排出される。これにより、ユーザーは表示記録媒体１を手に取ることができる。
【００４７】
（第１の実施の形態の効果）
この第１の実施の形態に係る表示記録媒体１によれば、シート電極２０Ａ，２０Ｂに汚れや磨耗が生じても、シート電極２０Ａ，２０Ｂを交換するのみで、画像書込装置１００側の電極との接触不良を低減することができ、確実に画像書込みを行うことができる。また、シート電極２０Ａ，２０Ｂは、何度も交換が可能であるため、高価な表示記録媒体１を長期にわたって使用することができる。
【００４８】
［第２の実施の形態］
図５は、本発明の第２の実施の形態に係る表示記録媒体を示す。この第２の実施の形態が、第１の実施の形態と異なるところは、表示記録媒体１の書込み方向に対し、見る方向が逆になるようにした層構造にある。
【００４９】
この第２の実施の形態に係る表示記録媒体１は、第１の実施の形態において、隔離層１４を除去し、透明電極１２Ａの内側に液晶層１３を配置し、透明電極１２Ｂの内側に光導電層１５を配置し、さらに液晶層１３と光導電層１５の間に光吸収層１６を配置したものであり、その他の構成は第１の実施の形態と同様である。
【００５０】
この第２の実施の形態に係る表示記録媒体１は、第１の実施の形態と同様に裏面１ｂから書込パターン光３０が照射される。書込パターン光３０は、基板１１Ｂ、透明電極１２Ｂ、光導電層１５、光吸収層１６を順次通過し、液晶層１３を照射する。
【００５１】
光導電層１５は、書込パターン光３０が照射された部分の抵抗値は小さくなり、それにより、光導電層１５とのインピーダンス比で決まる液晶層１３の分圧が増加し、液晶層１３における光反射率が大きくなる。従って、表示記録媒体１の表面１ａに照明光３１が照射されているとき、表面１ａのＥ方向からは、液晶層１３における書込パターン光３０の照射された領域では、液晶層１３での反射率が大きくなるために照明光３１が反射して白く見え、書込パターン光３０が照射されなかった領域では、照明光３１が液晶層１３を透過して光吸収層１６で吸収されるために黒く見える表示光３２を、画像として見ることができる。この画像は、シート電極２０Ａ，２０Ｂへの電圧印加が消失した後でも、長時間保持される。
【００５２】
この第２の実施の形態によれば、書込パターン光３０の方向と画像を見る方向とを逆にすることができるため、画像書込装置１００から排出された表示記録媒体１を裏返しにすることなく、表示記録媒体１の上面を見れば、直ちに画像内容を確認することができる。その他の効果は、第１の実施の形態と同様である。
【００５３】
［第３の実施の形態］
図６（ａ）は、本発明の第３の実施の形態に係る表示記録媒体を示す。この第３の実施の形態は、第１の実施の形態において、シート電極２０Ａ，２０Ｂと受電部１８Ａ，１８Ｂの組合せに代えて、交換電極としての雄ネジ形の一対のボルト型電極２１と、雌ネジ形の一対の受電部２２とを組み合せしたものであり、その他の構成は第１の実施の形態と同様である。
【００５４】
ボルト型電極２１の頭部には、図６（ｂ）に示すように、六角レンチの工具が挿入される六角穴２１ａが形成されている。
【００５５】
この第３の実施の形態によれば、ボルト型電極２１と受電部２２は、ネジ結合により固定できるため、シート電極２０Ａ，２０Ｂのように剥がれたり、位置ずれを生じたりする可能性を無くすることができる。その他の効果は、第１の実施の形態と同様である。
【００５６】
［第４の実施の形態］
図７は、本発明の第４の実施の形態に係る表示記録媒体を示す。この第４の実施の形態は、第１の実施の形態において、受電部１８Ａ，１８Ｂに代えて金属製で円弧形の固定電極としてのスプリング電極２３Ａ，２３Ｂを用い、さらに、シート電極２０Ａ，２０Ｂに代えて金属製で「コ」の字形のクリップ電極２４Ａ，２４Ｂを交換電極として用いたものであり、他の構成は第１の実施の形態と同様である。
【００５７】
表示記録媒体１には、クリップ電極２４Ａ，２４Ｂの位置ずれを防止し、スプリング電極２３Ａ，２３Ｂが表面１ａから突出するのを防止するため、クリップ電極２４Ａ，２４Ｂの上下面と、表示記録媒体１の上下面とを同一平面になるように、凹部２５が設けられている。
【００５８】
この第４の実施の形態によれば、クリップ電極２４Ａ，２４Ｂを用いたことにより、着脱を簡単にすることができる。その他の効果は、第１の実施の形態と同様である。
【００５９】
［第５の実施の形態］
図８は、本発明の第５の実施の形態に係る表示記録媒体を示す。この第５の実施の形態は、第４の実施の形態において、クリップ電極２４Ａ，２４Ｂに代えて表示記録媒体１に着脱自在なプラグ電極２６を交換電極として用い、さらに、このプラグ電極２６が結合されるソケット部４を本体部１０に設けたものであり、その他の構成は第４の実施の形態と同様である。
【００６０】
プラグ電極２６は、上面に受電部２７Ａ，２７Ｂを有し、側面に本体部１０のソケット部４に挿入されるプラグ２６ａを有している。このプラグ２６ａは、受電部２７Ａ，２７Ｂに電気的に接続されている配線パターン２８Ａ，２８Ｂを有している。また、プラグ電極２６は、ソケット部４に装着したとき、本体部１０の一部を形成するようにデザインされている。
【００６１】
ソケット部４は、角形の凹部形状を有し、その上下面には、プラグ２６ａが挿入されたとき、プラグ２６ａの配線パターン２８Ａ，２８Ｂに接触する透明電極１２Ａと延在部１７が平行に導出している。
【００６２】
この第５の実施の形態によれば、１個のプラグ電極２６を表示記録媒体１のソケット部４に挿入するだけで新しい電極と交換できるため、第４の実施の形態に比べ、さらに電極の着脱を簡単にすることができる。その他の効果は、第１の実施の形態と同様である。
【００６３】
［他の実施の形態］
なお、本発明は、上記各実施の形態に限定されず、その要旨を変更しない範囲内で種々な変形が可能である。例えば、発明の要旨を変更しない範囲内で各実施の形態間の構成要素の組合せを任意に行うことができる。
【００６４】
図７のスプリング電極２３Ａ，２３Ｂをクリップ電極２４Ａ，２４Ｂ側に設けてもよく、図８の透明電極１２Ａ，延在部１７側に設けてもよく、プラグ電極２６の配線パターン２８Ａ，２８Ｂ側に設けてもよい。
【００６５】
また、図７のクリップ電極２４Ａ，２４ｂを螺子等により本体部１０に固定してもよく、図８のプラグ電極２６を螺子等により本体部１０に固定してもよい。これにより、不用意にクリップ電極２４Ａ，２４ｂやプラグ電極２６が抜けるのを防ぐことができる。
【００６６】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示記録媒体を用いてもよい。
【図面の簡単な説明】
【００６７】
【図１】本発明の第１の実施の形態に係る表示記録媒体を示す斜視図である。
【図２】図１の表示記録媒体のＡ−Ａ線の断面を示す断面図である。
【図３】本発明の実施の形態に係る画像書込装置の全体構成を示す平面図である。
【図４】図３の各部における断面を示し、（ａ）は図３のＣ−Ｃ線の断面図、（ｂ）は図３のＤ−Ｄ線の断面図、（ｃ）は図３のＥ−Ｅ線の断面図である。
【図５】本発明の第２の実施の形態に係る表示記録媒体の層構造を示す断面図である。
【図６】（ａ）は本発明の第３の実施の形態に係る表示記録媒体の層構造を示す断面図、（ｂ）は要部平面図である。
【図７】本発明の第４の実施の形態に係る表示記録媒体の主要部を示す斜視図である。
【図８】本発明の第５の実施の形態に係る表示記録媒体の主要部を示す斜視図である。
【符号の説明】
【００６８】
１  表示記録媒体
１ａ  表面
１ｂ  裏面
２ａ，２ｂ  挿入方向識別帯
３  画像表示記録領域
４  ソケット部
１０  本体部
１１Ａ，１１Ｂ  基板
１２Ａ，１２Ｂ  透明電極
１３  液晶層
１４  隔離層
１５  光導電層
１６  光吸収層
１７  延在部
１８Ａ，１８Ｂ  受電部
１９  樹脂充填部
２０Ａ，２０Ｂ  シート電極
２１  ボルト型電極
２１ａ  六角穴
２２  受電部
２３Ａ，２３Ｂ  スプリング電極
２４Ａ，２４Ｂ  クリップ電極
２５  凹部
２６  プラグ電極
２６ａ  プラグ
２７Ａ，２７Ｂ  受電部
２８Ａ，２８Ｂ  配線パターン
３０  書込パターン光
３１  照明光
３２  表示光
１１０  下部筐体
１１１Ａ，１１１Ｂ，１１１Ｃ，１１１Ｄ  搬送ローラ
１１２  媒体搬送部
１１３  パネル
１１４  バックライト
１１５  書込部
１１６  端子取付部
１１７Ａ，１１７Ｂ  給電端子
１１８Ａ，１１８Ｂ  ストッパ
１１９  媒体停止センサ
１２０  排出終了センサ
１２１Ａ，１２１Ｂ  開口
１２２Ａ，１２２Ｂ  ガイド
１２３  逃げ穴
１２４  光出射面
１３０  上部筐体筐体
１３１Ａ，１３１Ｂ  センサ
１３２Ａ，１３２Ｂ  電磁ソレノイド
１３３  押圧板
１３４  媒体押付け部
１３５  開口
１５１  挿入口
１５２  空間
１５３  排出口
Ｂ  挿入方向
【図１】
2006146001.tif 000003
【図２】
2006146001.tif 000004
【図３】
2006146001.tif 000005
【図４】
2006146001.tif 000006
【図５】
2006146001.tif 000007
【図６】
2006146001.tif 000008
【図７】
2006146001.tif 000009
【図８】
2006146001.tif 000010